(57)【要約】  その操作によって、移動のために装置の付勢要素を解放する自動注射装置のためのトリガーアセンブリー。トリガーアセンブリーは使用者によって押すことができるボタンおよびロック部材を含む。ボタンが突き入れられる前に、ロック部材のボタンを係合する表面はボタン上のブロッキング要素に接して、ロック部材の回転を防止し、それによってロック部材上の係合表面が付勢要素の動きを制止するように付勢要素の係合表面と係合したままであることを可能にする。ボタンが突き入れられる場合、ブロッキング表面はボタンを係合する表面から離れて移動してロック部材が回転することを可能にし、その回転の間に係合表面は脱係合して移動のために付勢要素を解放する。【選択図】図１３
2016511078.tif 000002
【特許請求の範囲】
【請求項１】
付勢要素およびハウジングを含み、付勢要素が、トリガーアセンブリーの操作によって、ハウジングに対して第１の軸方向への移動のために解放することができる、自動注射装置のためのトリガーアセンブリーであって、前記トリガーアセンブリーは、
使用者によって押すことができるボタンであって、前記ボタンが第１の軸方向位置から第２の軸方向位置へハウジングに対して第１の軸方向にシフト可能であり、前記ボタンがブロッキング表面および凹表面を含むブロッキング要素を含み、前記凹表面が前記ブロッキング表面から第１の角度方向に間隔を置いて配置される、前記ボタンと；
付勢要素上に配置され、それと共に移動可能な第１の係合表面と；
中で回転可能なように前記ハウジング内で支持されたロック部材であって、ボタン係合要素を含む、前記ロック部材と；
前記第１の係合表面との係合のために前記ロック部材上に配置される第２の係合表面であって、前記第１の表面と第２の表面の前記係合が第１の軸方向への付勢要素の動きを制止する、前記第２の係合表面と
を含み；
前記第１の係合表面および第２の係合表面のうちの少なくとも１つが、前記第１の係合表面と第２の係合表面との間のカム効果のために傾斜され；
前記ブロッキング要素が、前記ボタンが前記第１の軸方向位置で配置される場合、前記ボタンを係合する表面と接する関係性の前記ブロッキング表面を有して、前記第１の角度方向における前記ロック部材の回転を防止し、その回転の防止が前記第１の係合表面との係合で前記第２の係合表面を維持し；
前記ブロッキング要素が、前記ボタンが前記第２の軸方向位置で配置される場合、前記ボタンを係合する表面から離れた前記ブロッキング表面を有して、付勢要素が第１の軸方向に付勢するような前記第１の係合表面および第２の係合表面のカム効果の影響下で、前記ロック部材が回転することを可能にし、その結果、前記ボタン係合要素は前記凹表面に向かう前記角度方向に移動し、前記ロック部材が回転して第１の軸方向への移動のために付勢要素を解放するように前記第１の係合表面および第２の係合表面を脱係合する、
前記トリガーアセンブリー。
【請求項２】
前記ロック部材が、前記第１の軸方向に沿って延びて前記ハウジング内の中心におかれる回転軸を有するリングを含む、請求項１に記載のトリガーアセンブリー。
【請求項３】
前記第２の係合表面が、角度をなして延びて前記第１の係合表面の対応する部位との係合のために前記リングの周囲に１８０度離れて間隔を置いて配置される第１の部位および第２の部位を含む、請求項２に記載のトリガーアセンブリー。
【請求項４】
各々の前記第１の係合表面および第２の係合表面がカム効果のために傾斜される、請求項２に記載のトリガーアセンブリー。
【請求項５】
前記ロック部材が前記第１の軸方向に延びる回転軸を有するリングを含み、前記ボタン係合要素が前記回転軸に対して前記第２の係合表面の径方向外側に配置される、請求項１に記載のトリガーアセンブリー。
【請求項６】
前記ボタンが端部円盤を含み、前記ボタンの前記ブロッキング要素が、前記端部円盤の周辺部に配置されたアームを含み、前記アームが第１のセクションおよび第２のセクションを含み、前記第１のセクションが軸方向に突出し、かつ前記凹表面を画成する側面を含み、前記第２のセクションが前記第１のセクションから前記角度方向に突出し、かつ前記ブロッキング表面を画成する端部面を含む、請求項１に記載のトリガーアセンブリー。
【発明の詳細な説明】
【技術分野】
【０００１】
本発明は医薬用注射装置および特に自動注射装置内のトリガーアセンブリーに関する。
【背景技術】
【０００２】
多数の異なる疾患を患う患者は、多くの場合、医薬品を自身に注射しなければならない。多様な装置はこれらの注射を促進するために提案されてきた。１つのタイプの装置は自動注射装置である。このタイプの装置は、典型的には、使用者によって操作される場合、トリガリング前に装置が装置ハウジング内に配置されたシリンジの針を使用者の中へ自動的に挿入し、次いで装置がその挿入された針を介して医薬物の用量を自動的に注射する、トリガーアセンブリーを含む。
【０００３】
いくつかのトリガーアセンブリーの１つの欠点はそれらを操作するのに要求される大きな力に関する。例えば、いくつかの装置において、基本的にはトリガー操作に対抗するばね力も使用してシリンジプランジャーを直接推進する。増加する直径のプランジャーで、またはプランジャーによって作動される医薬物がより粘稠な状況中で、より大きなばね力が要求される。したがって慣習的な方式で大きな力ばねに対して直接作用するトリガーアセンブリーは、操作する者に困難だろう。
【発明の概要】
【発明が解決しようとする課題】
【０００４】
したがって、先行技術のこれらおよび他の欠点のうちの１つまたは複数を解消することができる自動注射装置のためのトリガーアセンブリーを提供することが望まれるだろう。
【課題を解決するための手段】
【０００５】
その１つの形態において、本発明は、自動注射装置のためのトリガーアセンブリーを提供する。トリガーアセンブリーは、その操作によって、装置のハウジングに対して第１の軸方向への移動のために装置の付勢要素を解放する。トリガーアセンブリーは、使用者によって押すことができるボタン、第１の係合表面、ロック部材および第２の係合表面を含む。ボタンは、第１の軸方向位置から第２の軸方向位置へハウジングに対して第１の軸方向にシフト可能である。ボタンは、ブロッキング表面および凹表面を含むブロッキング要素を含む。凹表面はブロッキング表面から第１の角度方向に間隔を置いて配置される。第１の係合表面は付勢要素上に配置され、それと共に移動可能である。ロック部材はその中で回転可能なようにハウジング内で支持され、ボタン係合要素を含む。第２の係合表面は、第１の係合表面との係合のためにロック部材上に配置される。第１の表面と第２の表面の係合は、第１の軸方向への付勢要素の動きを制止する。第１の係合表面および第２の係合表面のうちの少なくとも１つは第１の係合表面と第２の係合表面との間のカム効果のために傾斜される。ブロッキング要素は、ボタンが第１の軸方向位置で配置される場合、ボタンを係合する表面と接する関係性のブロッキング表面を有して、第１の角度方向におけるロック部材の回転を防止し、その回転の防止は第１の係合表面との係合で第２の係合表面を維持する。ブロッキング要素は、ボタンが第２の軸方向位置で配置される場合、ボタンを係合する表面から離れたブロッキング表面を有して、付勢要素が第１の軸方向に付勢するような第１の係合表面および第２の係合表面のカム効果の影響下で、ロック部材が回転することを可能にし、その結果、ボタン係合要素は凹表面に向かう角度方向に移動し、ロック部材が回転して第１の軸方向への移動のために付勢要素を解放するように第１の係合表面および第２の係合表面を脱係合する。
【０００６】
本発明の１つの長所は、注射ボタン上での比較的低い力の適用によって使用者による好適な操作を可能にする自動注射装置のためのトリガーアセンブリーを提供できることである。
【０００７】
本発明の別の長所は、製造のデザインの間に容易に調整可能な自動注射装置のためのトリガーアセンブリーが提供できることである。
【図面の簡単な説明】
【０００８】
添付の図面と併用して、本発明の実施形態の以下の記述を参照することによって、本発明の上述および他の長所ならびに目的、ならびにそれらを達成する様式はより明らかになり、本発明それ自体はより良好に理解されるだろう。
【図１】使用の前の本発明のトリガーアセンブリーを備えた自動注射装置の斜視図である。
【図２】図１に類似する抽象的斜視図であるが、そこで針カバーは図示されず、その中で抽象的に示された針を付けたシリンジはより容易に目視可能である。
【図３】図２に類似する抽象的斜視図であるが、装置のトリガリング後の、シリンジの針が使用者の貫通のために装置から延びる場合の使用中の時のものである。
【図４】図３に類似する抽象的斜視図であるが、装置が注射を完了し、ハウジングの中へシリンジの針が引き込まれた後のものである。
【図５】装置の安全ロックが使用の前に可能になる図１の自動注射装置の長手方向の横断面図である。
【図６Ａ】図１の装置の他の要素と分離して示されたハウジング安全スリーブの外側部材の斜視図である。
【図６Ｂ】図１の装置の他の要素と分離して示されたハウジング安全スリーブの外側部材の側面図である。
【図６Ｃ】図１の装置の他の要素と分離して示されたハウジング安全スリーブの外側部材の断面図である。
【図７Ａ】他の装置要素と分離して示された安全スリーブインサートの斜視図である。
【図７Ｂ】他の装置要素と分離して示された安全スリーブインサートの平面図である。
【図７Ｃ】他の装置要素と分離して示された安全スリーブインサートの側面図である。
【図８Ａ】他の装置要素と分離して示されたハウジング本体の斜視図である。
【図８Ｂ】他の装置要素と分離して示されたハウジング本体の側面図である。
【図８Ｃ】他の装置要素と分離して示されたハウジング本体の平面図である。
【図９Ａ】他の装置要素と分離して示されたボタンの平面斜視図である。
【図９Ｂ】他の装置要素と分離して示されたボタンの底面斜視図である。
【図９Ｃ】他の装置要素と分離して示されたボタンの断面図である。
【図１０Ａ】他の装置要素と分離して示されたリング形状のロック部材の斜視図である。
【図１０Ｂ】他の装置要素と分離して示されたリング形状のロック部材の平面図である。
【図１０Ｃ】他の装置要素と分離して示されたリング形状のロック部材の側面図である。
【図１１Ａ】他の装置要素と分離して示されたプランジャー要素の平面斜視図である。
【図１１Ｂ】他の装置要素と分離して示されたプランジャー要素の底面斜視図である。
【図１１Ｃ】他の装置要素と分離して示されたプランジャー要素の正面図である。
【図１１Ｄ】他の装置要素と分離して示されたプランジャー要素の側面図である。
【図１２】ハウジング本体へ組み立てられたボタンのみの部分的な斜視図であり、ボタンは突き入られた軸方向位置にある。
【図１３】トリガーアセンブリーの操作の前の図１の装置の選択された要素の部分的な斜視図である。
【図１４】トリガーアセンブリーが操作された後の図１３に類似する部分的な斜視図であり、プランジャー要素（トリガーアセンブリーの操作によって解放された）は装置のさらなる操作のために軸方向に下向きで移動するように付勢される。
【発明を実施するための形態】
【０００９】
対応する参照特徴は複数の概観図を通して対応する部分を示す。図面は本発明の実施形態を代表するが、図面は必ずしも一定の比率の縮尺ではなく、特定の特色は、本発明をより良好に図示および説明するために図面のいくつかにおいて誇張および省略することができる。
【００１０】
図１において、本発明のトリガーアセンブリーを備えた自動注射装置（一般的には２０と表記される）の第１の実施形態の斜視図が示される。図２〜４において、装置２０は、単純な針を付けたシリンジ、およびその針カバー（それは使用の間に折り畳まれ、注射の間に貫かれる（図示されない））を備えて抽象的に示される。図１および２は、使用の前のロック状態または安全状態にあるときに配置された装置２０を示す。装置は、ハウジング本体３４に関して矢印２３によって示されるように、安全スリーブ３２をロック解除された角度の位置へ回転させることによってロック解除される。装置のロック解除後、および矢印２４によって示されるように、本発明のトリガーアセンブリーがトリガーボタン（一般的には２１と表記される）を押し下げることによって操作される場合、装置２０の針を付けたシリンジ２５は自動的に下向きに推進され、その結果、シリンジ２５の注射針２７は装置ハウジングの底端部を超えて突出して図３中で示されるように使用者を貫通する。次いで装置は進んで、シリンジ２５の医薬物含有量を針２７を介して自動的に（すなわちさらなる使用者の行為なしに）注射し、その後シリンジは矢印２９によって示されるように自動的に引き込まれ、その結果、針２７は図４中で示されるようにハウジング内に戻される。
【００１１】
本発明のトリガーアセンブリーは、本明細書において記述される装置２０において有益な適用が見出されることが示されるが、かかる適用は単に例示的であり限定的であるとは意図されない。その利益が所望される場合、本発明のトリガーアセンブリーは様々なタイプの自動注射装置（針の挿入は手動で行われるが、一旦トリガーが引かれたなら針を介する医薬の押し出しは自動である装置に加えて、注射は針の自動挿入であるが、針を介する医薬品の押し出しは手動で供給される装置が含まれる）において使用することができる。
【００１２】
図１を再び参照して、装置２０は外側ハウジング３０を含み、その中に装置の作動要素は操作用に配置される。外側ハウジング３０は安全スリーブ３２、本体３４およびベースプレート３５を含み、それらはともに外側ハウジングの軸方向の高さを形成する。
【００１３】
安全スリーブ３２は、図６Ａ〜６Ｃ中で示される外側スリーブ部材３６および図７Ａ〜７Ｃ中で示されるインサートまたは内側スリーブ部材３７から形成される二部分構造を有する。スリーブ部材３６はぎざぎざの付いた周辺部３８を含み、周辺部３８は隆起したリブ３９を含み、リブ３９は、スリーブ３２の回転位置およびそれによって装置のロック状況またはロック解除状況を示すのに役立つ、ハウジング本体に沿った目視可能なしるし（示されない）を備える。スリーブ部材３６は、スリーブ部材３７のキー４２を受け入れてスリーブ部材をともに回転可能に締め付ける、軸方向に伸長するキー溝４０を含む。スリーブ部材３７は、スリーブ部材３６中の棚によって１つの軸に沿って、かつハウジング本体３４によって他の軸に沿って軸方向に保持され、その結果、装置中で最終的に組み立てられた場合にスリーブ部材３６および３７は互いに対して軸方向に固定される。
【００１４】
１ペアのボタンロックスロット４４はスリーブ部材３７の向かい合った部位中に形成される。２ペアのスロット４５はスリーブ部材３７の底部から上向きに延びる。
【００１５】
安全スリーブ３２は、軸方向に固定され、それに相対的に回転可能であるように、接近して間隔を置いて配置されたスロットペア各々のスロット４５の間の角距離に等しい小さな角距離を介して、ハウジング本体３４へ取り付けられる。スリーブ部材３６の２つの向かい合ったチャンネル４６内へのハウジング本体３４のタブ４７の挿入は、かかる取り付けを提供する。
【００１６】
ボタン２１はトリガーアセンブリーの一部であり、図９Ａ〜９Ｃ中でさらに示される。ボタン２１は、適切な耐久性の材料（２０％のガラス充填によるＤｅｌｒｉｎ  ５７０等）からの単一片として成型される。ボタン２１は、円盤５０の外側周辺部から近位へ延びるスカート５２を備えた端部円盤５０を含む。端部円盤５０は凸面の遠位面５４を有し、その上に使用者は力を直接適用して選択的にボタンを突き入れて装置のトリガリングを行うことができる。
【００１７】
１ペアの向かい合った弾性のあるアーム５６はボタンスカート５２から下がり、軸方向に延びる。それらの角度の間隔に沿った湾曲に起因して、アーム５６はアーチ形の棒形状である。各々のアーム５６はその半径方向外向きの表面上に移動止め突起５８を備えて提供される。各々の突起５８は、スリーブ部材３７中で形成されたペアのスロット４５のうちの１つと相互作用して、スリーブ３２のロックした回転位置およびロック解除した回転位置で触覚的で聞き取り可能なフィードバックを提供する。使用中に完全にそれが突き入られた後に、もとの位置、すなわち押される前の位置へ軸方向にボタン２１が戻ることを防止するために突起５８と協働する図示されない特徴を、スリーブ３２がロック解除した回転位置である場合に突起５８が存在するスロット４５内において、さらに含むように、スリーブ部材３７が修正されてもよい。
【００１８】
ボタン２１のある角度方向に湾曲した棒形状のアーム６０は、アーム５６の間のボタンスカート５２に従属する。アーム６０の直径方向に反対には、トリガーアセンブリー中のブロッキング要素として役立つアーム６２がある。アーム６２は、アーチ形の棒形状でありスカート５２から軸方向に突出する、第１のセクション６４を含む。アーム６２は、棒形状であり、第１のセクション６４からある角度方向に向けて突出し、かつ第１のセクション６４に対して直角に配置される、第２のセクション６６も含む。アームセクション６６は上部面６８、底部面６９および端部面７０を含む。端部面７０はさらに以下で記述されるようにロック部材のためのブロッキング表面として役立つ。
【００１９】
端部面７０はアームセクション６４の側面の面または表面７２から角度をなして間隔を置いて配置されて、端部面７０からある角度方向に凹表面７２を生じる。アーム６２の構成の結果として、ギャップまたは開口部７４は、アーム上部面６８より上およびスカート５２より下の軸方向の空間中で提供される。
【００２０】
各々のアーム６０およびアームの第１のセクション６４は、その半径方向外向きの表面上に突出するドッグまたはキー８０を含む。キー８０はスリーブ部材３７のボタンロックスロット４４の中へ嵌合する。安全スリーブ３２が本体３４上で回転して配向し、その結果キー８０がスロット４４の軸方向に延びる部位にわたって整列するまで、キー８０は内側スリーブ部材３７と協働して、ボタン２１が装置ハウジングに対して軸方向にシフトするのを防止する。
【００２１】
図１２中で最もよく示されるように、ボタン２１はハウジング本体３４の上方領域へ取り付けられる。図８Ａ〜８Ｃを追加で参照して、２つのアーム５６の各々に加えて、アーム６０および６２は、ボタン２１が本体３４に対して軸方向に移動するが回転しないように本体３４中で提供される適切にサイズ合わせをされた開口部または切り欠き８５、８６、８８および８７のそれぞれ内に挿入される。各々の開口部８５〜８７の両側に沿って形成されたガイドレール９０は、ボタン２１の軸方向の動きをガイドする。レリーフ１００は本体３４の円盤形状部位１０２中の開口部８５および８６の上に形成されて、移動止め突起５８と関連した移動止めの特徴を収容するようにボタンアーム５６が半径方向内側へ撓曲することを可能にする。
【００２２】
トリガーアセンブリーは、ボタン２１のブロッキング要素と協働する移動可能なロック部材も含む。ロック部材は、図１０Ａ〜１０Ｃ中でさらに示されるリング形状部材またはロックリング１１０として提供される。ロックリング１１０は２０％のガラス充填によるＤｅｌｒｉｎ  ５７０から１つの片で作製され、より薄い弓形セクション１１６および１１８がわたされる弓形セグメント１１２および１１４を含み、それらは一般的には円形の開口部１１９をともに画成する。各々の弓形１１２および１１４は軸方向に傾斜する角度のある端部１１７を含んで、傾斜またはカム面１２０を提供する。傾斜面１２０はともに係合表面として役立って装置２０の推進機構の要素上で相補的な部材または表面と係合し、それは近位方向に付勢され、本発明のトリガーアセンブリーの操作によって解放される。カム面１２０は遠位で面し、それはトリガーアセンブリーによって解放された場合に付勢要素が移動する方向と方向反対である。付勢要素が装置の推進機構中で機能する様式は、本発明のトリガーアセンブリーに対して重要ではない。したがって、その付勢部材またはプランジャー要素１５５の機能の以下の記述は、例示的であり限定しないことが意図される。
【００２３】
ロックリング１１０の周面の周りに１８０度離れて間隔を置いて配置された２つの傾斜面１２０が、係合表面として役立って、ロックリング１１０上に荷重を加えるが、角度をなして離間する追加の面（例えば合計４つの９０度離れて間隔を置くもの）を係合表面として使用することができるか、または１つの傾斜面を係合表面として使用することができる。
【００２４】
ロックリング１１０は、トリガリング操作の間に、ロックリング１１０が軸方向に固定されるが、ハウジング本体３４内で軸方向に延びる回転軸の周囲で回転可能であり、ハウジング本体３４の中心と整列するようにハウジング本体３４内で支持される。ロックリング１１０（図５中で示されるように装置２０中で）は、開口部１１９内で緊合する直立カラー１３２を有するシャトル部材１３０上での回転可能な支持経由でハウジングへ非常に回転可能に間接的に取り付けられ、シャトル部材１３０はプランジャー要素１５５に回転して合わせられ、プランジャー要素１５５はスリーブ１４４へ回転して固定され、スリーブ１４４はそのスリーブ１４４のキー１４６経由でハウジングへ回転可能に直接固定され、スリーブ１４４は、ハウジング本体３４の示されない内部リブによって画成される軸方向に伸長するチャンネル内で緊合する。他の適用において、ロックリングは、異なるように支持、例えばハウジング部材の段部へ直接に、または別の要素を経てハウジングへ間接に支持され得る。
【００２５】
各々の弓形セグメント１１２および１１４は、それらの内側の半径方向の周辺部に沿って、ノッチ１２１および高さが低くなった段部１２２を含む。シャトル部材１３０のタブ１２７はアセンブリーの製造の間にノッチ１２１を介して緊合される。組み立てられるとき、タブ１２７は、段部１２２の上に突出し、トリガリング操作の間に段部１２２にわたって自由に摺動するように配置され、そのようにすることでロックリング１１０がシャトル部材に対して軸方向に位置し、それは以下でさらに記述されるようにトリガリングの間にハウジングに対して軸方向に固定される。
【００２６】
ロックリング１１０の階段形状のタブ１３５は、カム面１２０よりもロックリング１１０の回転軸からより離れて位置するように弓形セグメント１１４から半径方向外向きに突出する。タブ１３５は、半径方向に延びてロックリング１１０のボタンを係合する表面として役立つ角度のある側面１３７を含む。ボタン２１が突き入られず図１中で示されるように配置される場合、ロックリング１１０がアーム表面７２に向かって回転することができないように、側面１３７はアーム端部面７０に直接接する。ボタン２１が突き入られた位置である場合、アーム端部面７０は側面１３７より軸方向に下であるかまたは離れており、ロックリング１１０が回転するにつれてタブ１３５が開口部７４の中へ移動することを可能にする。
【００２７】
図１３中で示されるように、装置のトリガリングの前に、ロックリングカム面１２０は、プランジャー要素（一般的には１５５と表記される）の上方領域１５４上で提供される２つの相補的なカム面１５０と係合する。カム面１５０は下向きに面する。それはトリガーアセンブリーによって以下に記載されるように解放された場合に付勢されたプランジャー要素１５５が移動する方向である。カム面１５０は、ロックリング１１０と係合するプランジャー要素１５５の係合表面としてともに役立つ。上方領域１５４はシャトル部材１３０中で提供される開口部１３１を介して延び、部材１３０に対して、プランジャー要素１５５は軸方向に移動可能に合わせられるが回転可能に固定される。図示されない代替の実施形態において、プランジャー要素上方領域および上方領域が延びるシャトル部材中の開口部は、ロックリング１１０を変化させることなしに外径を減少させることができ、それは、シャトルがロックリング端部１１７の外側半径方向の周辺部についての応力を減少させる支持の提供をもたらす。異なる数のロックリングカム面１２０を有する代替の実施形態において、プランジャー要素カム面１５０は、好ましくは１対１であり、かかるカム面１２０と位置が一致する。
【００２８】
示される実施形態において、面１２０および１５０の各々は傾斜される。面１２０および１５０の傾斜の角度は軸方向に対しておよそ５０度である。装置の開発の間に、嵌合面１２０、１５０について異なる角度を提供して、異なる角度が、ボタン２１を突き入れて装置のトリガリングを行うのに必要とされる力に影響する異なる摩擦力を生じるように、トリガーアセンブリーの感触を調整することができる。例えば、カム運動は、傾斜している各々のペアの係合面１２０、１５０のうちのただ１つにより達成され得る。
【００２９】
プランジャー要素１５５は図１１Ａ〜１１Ｄ中でさらに示され、フランジ付きの端部１６０を備えた直立の脚１５７を含む。フランジ端部１６０は、スリーブ１４４の段部１６１を介してコイルばね１６４の底端部によって効果的に作動され、その段部はフランジ端部１６０とばね１６４との間に配置される。ばね１６４の上部端部は、シャトル部材１３０のプレート形状部位の下側に対して作動する。図５および図１３中で示されるように、プランジャー要素１５５がカム面１２０および１５０の係合経由でロックリング１１０と係合している場合、ばね１６４はシャトル部材１３０とプランジャー要素１５５との間に圧縮された状態で捕捉され、プランジャー要素１５５がシャトルに対して下方へ付勢されることを引き起こし、それは、トリガリングの間に、ハウジング部位１０２へ固定された軸方向に延びるハウジング支持部材１７２によって支持されるフォロワー１７０とのその係合によってハウジング中の軸方向で適所に保持され、２０１３年３月１４日に特許出願第６１／７８３００７号として米国特許商標局に出願された仮特許出願を考慮して、および本出願と同じ日付に当局に受理されたとして米国特許商標局に出願された表題「Ｄｅｌａｙ  Ｍｅｃｈａｎｉｓｍ  Ｓｕｉｔａｂｌｅ  Ｆｏｒ  Ｃｏｍｐａｃｔ  Ａｕｔｏｍａｔｉｃ  Ｉｎｊｅｃｔｉｏｎ  Ｄｅｖｉｃｅ」の国際特許出願（本事例と同じリストされた発明者による）を考慮して、さらに理解することができ、それらの両方の出願の開示全体は参照として本明細書に援用される。
【００３０】
プランジャー要素の中央プレート部位１６２はその複数の脚１５７に架かる。部分的に閉鎖された底端部１６６を備えた円筒状チューブ１６４は、プランジャーの脚１５７の間のプレート部位１６２に従属する。底端部１６６は、装置シリンジのサブアセンブリー２００のシーリングピストンまたはプランジャー１９０を直接係合するためのものである。プランジャー要素１５５によるピストン１９０の下向きまたは近位への推進は、最初に、折り畳まれた針カバー２１５の閉鎖された近位端部を介して、およびハウジング開口部を介して、使用者の中に推進される移動止め付きキャリヤ２１０内で保持される針２０５の先端部を近位へもたらし、次いで、針の遠位先端部が隔壁２２０を貫いた後、針２０５を介して装置２０からシリンジの含有物の放出が起こる。シリンジのサブアセンブリーは本発明のトリガーアセンブリーの一部を形成しないが、国際出願第ＰＣＴ／ＵＳ２０１２／０５１７０２中で記載される概念的に類似するサブアセンブリーを考慮してさらに理解され、その出願の開示全体は参照として本明細書に援用される。
【００３１】
装置２０は異なるタイプのシリンジ（図２〜４中で示されるものに類似する打ち込まれた針を持つシリンジ（ｓｔａｋｅｄ  ｎｅｅｄｌｅ  ｓｙｒｉｎｇｅ））を使用することができる。かかる打ち込まれた針を付けたシリンジは、示された折り畳まれるカバーの代わりに異なるシーリングカバーを有することができる。例えば、シーリングカバーを把持する指で引くことができるカラーによって、またはシーリングカバーを把持するカラーからつるしてある、装置の操作指示によりマークされうる、手で握れる柔軟なストラップによって、使用の前に使用者によって手動で除去されるシーリングカバーを有することができる。
【００３２】
本発明のトリガリングアセンブリーの構成は、装置２０の初期操作の記述を考慮してさらに理解されるだろう。装置２０は、図１３中で示されるように構成されたトリガリングアセンブリーにより、図５中で示されるようにロックされた状態で構成される。使用者がボタン２１上に突き入れる力を適用すれば、ボタンの移動は内側スリーブ部材３７に軸方向で接するキー８０によって妨げられる。
【００３３】
使用者が安全スリーブ３２をロック解除位置へ手動で回転させて、次いで注射部位上に装置２０を配置した後に、ボタン２１は使用者によって突き入れることができる。このボタンの突き入れの前には、トリガリングアセンブリーは図１３中で示されるようにまだ構成されている。かかる構成において、プランジャー要素１５５から遠ざかって回転するロックリング１１０の傾向（かかる傾向は、カム面１５０とカム面１２０の係合、およびばね１６４によって回転可能に固定されたプランジャー要素１５５上に適用される下向きの付勢力から生じる）は、ロックリング側面１３７による端部面７０の接する係合によって防止される。
【００３４】
使用者が突き入れる力をボタン遠位部面５４へ手動で適用する場合、ボタン２１は安全スリーブ３２の中へおよびハウジング本体３４に向かってさらに押される。この突き入れるプロセスの間に使用者によって適用される必要のある力は、大部分は、端部面７０とロックリング側面１３７との間の摩擦摺動力に打ち勝つものである。ボタンと周囲の部品との間の追加の移動止めの特徴は、ボタン感触を弱め、かつ前述のようにトリガリング後にボタンを押したままにするのにも有用であり得る。キー８０がハウジング本体３４上の段部に接する点までボタン２１が完全に突き入られると、ボタンアーム６２は軸方向にシフトし、その結果、アームセクション６６がハウジング内で下向きにシフトしてタブ１３５から軸方向に離れるにつれて、ロックリング側面１３７はもはや端部面７０に接しない。したがって、ロックリング１１０は自由に回転することができ、カム面１５０とカム面１２０のカム効果、およびプランジャー要素１５５の下向きのばね付勢に起因して、ロックリング側面１３７はアーム表面７２に向かう移動を生じる。ロックリング１１０が、カム面１５０がカム面１２０の角度をなして離れている点へ回転した場合、トリガリングは完了し、ばね１６４は図１４中で示されるようにプランジャー要素１５５を下向きに強制的に移動して、装置の操作を継続する。次いで装置２０は進んで使用者の中へ針２０５を挿入し、シリンジ内に保持される製剤を注射し、次いで最終的に操作デザインに従ってハウジング内の針を引き込む。
【００３５】
本発明が好ましいデザインを有するとして示され記載されたが、本発明はこの開示の趣旨および範囲内で修飾することができる。例えば、示された実施形態において、トリガーアセンブリーが解放する付勢要素は、それ自体がシリンジピストンと接触するプランジャー要素であるが、本発明のトリガーアセンブリーを使用して、代替の実施形態における異なる付勢要素、またはコイルばねとは異なる部品により付勢される要素を、解放することができる。さらに、本発明のトリガーアセンブリーは異なる操作原理または部品を有する装置中で使用することができる。したがって、本出願は、その一般原理を使用して、本発明のいかなる変動、使用または適応物もカバーすることが意図される。さらに、本出願は、本発明が属する当技術分野における公知のまたは慣習的な実践内であるように、本開示からのかかる逸脱をカバーすることが意図される。
【図１】
2016511078.tif 000003
【図２】
2016511078.tif 000004
【図３】
2016511078.tif 000005
【図４】
2016511078.tif 000006
【図５】
2016511078.tif 000007
【図６Ａ】
2016511078.tif 000008
【図６Ｂ】
2016511078.tif 000009
【図６Ｃ】
2016511078.tif 000010
【図７Ａ】
2016511078.tif 000011
【図７Ｂ】
2016511078.tif 000012
【図７Ｃ】
2016511078.tif 000013
【図８Ａ】
2016511078.tif 000014
【図８Ｂ】
2016511078.tif 000015
【図８Ｃ】
2016511078.tif 000016
【図９Ａ】
2016511078.tif 000017
【図９Ｂ】
2016511078.tif 000018
【図９Ｃ】
2016511078.tif 000019
【図１０Ａ】
2016511078.tif 000020
【図１０Ｂ】
2016511078.tif 000021
【図１０Ｃ】
2016511078.tif 000022
【図１１Ａ】
2016511078.tif 000023
【図１１Ｂ】
2016511078.tif 000024
【図１１Ｃ】
2016511078.tif 000025
【図１１Ｄ】
2016511078.tif 000026
【図１２】
2016511078.tif 000027
【図１３】
2016511078.tif 000028
【図１４】
2016511078.tif 000029
【国際調査報告】
2016511078.tif 000030
2016511078.tif 000031